【事件の表示】
　特願２０１０−１６５６８６「押花絵キット及び押花絵の製造方法」拒絶査定不服審判事件〔平成２４年　２月　９日出願公開、特開２０１２−　２５６９６、請求項の数（６）〕について、次のとおり審決する。
【結　論】
　原査定を取り消す。
　本願の発明は、特許すべきものとする。
【理　由】
第１　手続の経緯
　本願は、平成２２年７月２３日の出願であって、平成２６年７月７日付けで手続補正がされ、平成２７年１月２１日付けで拒絶査定がされ、これに対し、同年５月７日付けで拒絶査定に対する不服審判請求がなされると同時に手続補正がなされ、その後、当審において、平成２８年１月２９日付けで拒絶の理由を通知したところ、これに対し、同年３月２９日付けで意見書及び手続補正書が提出されたものである。　
　
　
第２　本願発明　
　本願の請求項１乃至６に係る発明は、上記の平成２８年３月２９日付けの手続補正書によって補正された特許請求の範囲の記載からみて、特許請求の範囲の請求項１乃至６に記載された事項により特定される、次のとおりのものと認める（以下請求項１乃至６に係る発明を、それぞれ、「本願発明１」乃至「本願発明６」といい、これらを総称して「本願発明」という。）。　
「【請求項１】　
　姿矯正工程Ｓ１と配置工程Ｓ２と密封工程Ｓ３と乾燥工程Ｓ４とを順次行う押花絵の製造方法であり、　
　姿矯正工程Ｓ１は、野山等で採取した押花素材である草花３１を姿の矯正をしながら意匠的に配置し、ざら紙等の吸水紙を束ねた吸水体５１で挟持し、上方より重しを掛け草花の姿を平板状に矯正し、未乾燥の押花を意匠的な姿に形成し草花の盛り上り部分は圧潰して茎や葉脈等からの滲出した水分はテッシュ等の吸水材を用いて払拭すると共に、草花３１中の水分を吸水体５１へ移動して若干乾燥を行い、　
　配置工程Ｓ２は、台紙２１上に乾燥剤２３と脱酸素剤２４とを配置すると共に、その上面にクッション性を有する不織布よりなる弾性シート２２を重ね、さらには台紙２１と乾燥剤２３と脱酸素剤２４と弾性シート２２とを布体２５により巻回してなるキャンバス２０上にエチレンガスを吸着除去する多孔性微粒子を含有する顔料１０を塗布して背景を作成し、続いてキャンバス２０上に姿矯正工程Ｓ１で作成した未乾燥押花３２を配置し、その後、キャンバス２０の未乾燥押花３２の表面を覆うように透明硬質板４０を載置し、　
　密封工程Ｓ３は、未乾燥押花３２を透明硬質板４０とキャンバス２０との間に挟持した状態で空気を通しにくい透明袋５０内部に収容し、キャンバス２０を収容した透明袋５０を、ざら紙等を重ねて形成した下敷き材６１上に載置し、この透明袋５０上に重し材６３を載置し、透明袋５０内の空気を脱気し、脱気した状態で透明袋５０の開口を密封し、　
　　乾燥工程Ｓ４は、配置工程Ｓ２において乾燥剤２３及び脱酸素剤２４を収容し未乾燥押花３２を配置したキャンバス２０を無酸素状態で乾燥すること特徴とする押花絵の製造方法。　
　【請求項２】　
　前記キャンバス２０は、　
　台紙２１に重合された弾性シート２２と、　
　前記台紙２１及び弾性シート２２を巻回する布体２５と、を有し、　
　前記乾燥剤２３は、前記台紙２１と前記弾性シート２２との間に配置される　
　ことを特徴とする請求項１に記載の押花絵の製造方法。　
　【請求項３】　
　前記乾燥剤２３の混合比を、無水塩化カルシウム：タルク＝５０〜８０：２０〜５０としたことを特徴とする請求項１または請求項２に記載の押花絵の製造方法。　
　【請求項４】　
　前記顔料１０は、植物の老化を促進するガスの主成分であるエチレンガスを吸着除去する多孔性微粒子を含有することを特徴とする請求項１〜３のいずれか１項に記載の押花絵の製造方法。　
　【請求項５】　
　前記タルクを、前記エチレンガスを吸着除去する多孔性微粒子として用いることを特徴とする請求項４に記載の押花絵の製造方法。　
　【請求項６】　
　前記乾燥剤２３は、前記キャンバス２０と略同等の大きさを有し、　
　前記乾燥剤２３は、前記キャンバス２０と重合状態で配設することを特徴とする請求項１〜５のいずれか１項に記載の押花絵の製造方法。」　
　
　
第３　原査定の理由について　
１．原査定の理由の概要　
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。　
　請求項：１−６　引用例：１、２〜４　
　請求項：７　　　引用例：１〜５　
引用例等一覧　
１.特開２００９−２３４１４８号公報　
２.特表２００６−５１６９０４号公報　
３.特開平１−１９９９０２号公報　
４.特開平４−５１８４５号公報　
５.登録実用新案第３０４１２２９号公報　
　
２．原査定の理由の判断　
（１）刊行物の記載事項　
ア．刊行物１　
　本願の出願日前の平成２１年１０月１５日に頒布された特開２００９−２３４１４８号公報には、以下の記載がある。　
（ア）「【請求項３】　
　
採取した草花を吸水紙で挟持すると共に加圧して含水率が約５０〜７０％の半乾燥状態とする半乾燥工程と、
　
同半乾燥工程において半乾燥状態とした前記草花を、クッション性を有すると共にその表面に顔料を擦り付けて着色された台紙上に絵画的に配置する配置工程と、
　
同配置工程にて前記草花を配置してなる前記台紙を、乾燥剤及び脱酸素剤と共に透明硬質板及びアルミ箔などの防湿シートにて挟持し、さらにその周縁を接着して密封する密封工程と、
　
同密封工程にて密封した前記半乾燥状態の草花を無酸素状態で乾燥させる乾燥工程と、を有することを特徴とする押花絵の製造方法。
（イ）「【０００８】　
　本発明は、斯かる事情に鑑みてなされたものであって、草花の採取した当時の原色を可及的に鮮やかに表現することができると共に、その原色を長期間維持することができる押花絵を提供する。」　
（ウ）「【００１６】　
　図５は、本実施形態に係る押花絵の製造工程を示したフローチャートであって、図５に示すように、本実施形態に係る押花絵は、採取した草花を吸水紙で挟持すると共に加圧して含水率が約５０〜７０％の半乾燥状態とする半乾燥工程Ｓ１と、同半乾燥工程Ｓ１において半乾燥状態とした前記草花を、クッション性を有すると共にその表面に顔料を擦り付けて着色された台紙上に
絵画的
【００１７】　
　図１は、本実施形態に係る押花絵１の製造過程において、採取した草花の乾燥方法を示した説明図である。　
【００１８】　
　先ず、半乾燥工程Ｓ１として、図１に示すように、野山等で押花として使用する草花５０を採取した後、
数枚から数十枚のざら紙などの給水紙を束ねて形成した吸水体５１にて挟持する
吸水体５１の両側に薄板５２を配置すると共に
【００１９】　
　比較的小さな草花等は、収縮や縮れが生じやすく、草花の本来の美しい姿形を損なわれ易いが、このようにすることで、採取した草花５０の収縮や縮れを防止して、草花の自然な美しい形状を保持することができる。　
【００２０】　
　なお、図示していないが、この吸水体５１を数十枚重合させてその両側に薄板５２を配置し、これらの一側端を縫着等して一体とした草花挟持体を形成してもよい。このような一体の草花挟持体を形成することで、採取した草花を容易に挟持することができる。　
【００２１】　
　そして、草花を
吸水紙にて挟持した状態のまま、吸水紙或いは薄板の上に３〜１０ｋｇ、好ましくは５ｋｇ程度の重錘を載置し
圧
【００２２】　
　このように加
圧
【００２３】　
　また、乾燥が完全に完了した状態では草花の姿勢を
矯正
矯正
【００２４】　
　次に密封工程Ｓ３として、半乾燥状態とした半乾燥草花８を、吸水紙から取り出し、クッション性を有する台紙上に
絵画的
【００２５】　
　以下、本実施形態に係る押花絵について、図面を参照しながら説明する。図２は、本実施形態に係る押花絵の断面を模式的に示した説明図、図３は、本実施形態にかかる押花絵の台紙を模式的に示した説明図、図４は、本実施形態に係る押花絵の斜視図である。　
【００２６】　
　本実施形態に係る押花絵３０は、図２に示すように、含水率が約５０〜７０％の半乾燥状態の草花３１を、台紙３２上に
絵画的
【００２７】　
　
半乾燥草花３１を載置する台紙３２は、図３に示すように、クッション性を有する厚目の不織布１２を織目の細かい布体１４で巻回して形成している
【００２８】　
　また、台紙３２のクッション性を向上させたことで、木の細枝や花芯の厚い花を押花にする際にも、これらの押花材料を折ったり破ったりして傷めてしまう事を防止して、可及的に原型の美しい形を保持可能であるようにしている。また、半乾燥草花３１に含まれる水分を、不織布１２が効果的に吸収すると共に、草花の収縮や変形を一定圧力で防止し、草花の保型機能を十分に果たしうるものとして構成している。　
【００２９】　
　また、半乾燥草花３１と共に密封される乾燥剤３３は、無水塩化カルシウムを主剤とする配合乾燥剤である。　
【００３０】　
　押花絵３０の表側から半乾燥草花３１を挟持させる透明硬質板３５は、透明ガラス板、或いは透明硬質プラスチック板等を使用する。　
【００３１】　
　半乾燥草花３１を挟持した台紙３２を密封する方法としては、台紙３２を挟持する透明硬質板３５とアルミ箔３６の周面を無溶媒型の接着剤で互いに接着して密封することに限定されず、
半乾燥草花３１を挟持した透明硬質板３５とアルミ箔３６を、乾燥剤３３と脱酸素剤３４と共に可撓性かつ密封性の高い透明袋体の中に封入し、吸引ポンプＰによって透明袋体から空気を吸引して内部の空気を脱気して密封する
【００３２】　
　このように半乾燥草花３１を脱気した後に密封した状態にすると、密封された内部空間は同封した脱酸素剤３４によって徐々に無酸素状態にされる。そしてこのような無酸素状態において、乾燥剤３３により半乾燥草花３１の乾燥を進行させることができるため、変色の生じ易い乾燥末期においても、草花の変退色を大幅に抑えることができて、草花の原色を可及的に鮮やかに保持することができる。　
【００３３】　
　そして、このように密封した状態で２〜３日放置すれば、半乾燥状態だった草花は乾燥して、長期間の保存中も草花の色彩が変色・退色しない色鮮やかな押花絵とすることができる。　
【００３４】　
　この押花絵の大きさについては限定されることはなく、壁面に懸架して鑑賞するような大型サイズの押花絵やポストカードサイズの押花絵等、種々の寸法で形成することができる。　
【００３５】　
　このように、本発明によれば、押花絵の原料として、半乾燥状態である草花を乾燥剤及び脱酸素剤と共に密封することで、半乾燥草花８を、無酸素状態で徐々に乾燥させることができるため、草花の変色や退色を確実に低減して、草花の原色を可及的に鮮やかに保持することができる押花絵を提供することができる。また、パステル等の粉体顔料による台紙の着色が容易で、仕上がりの美しい高品質な押花絵を提供することができる。更には、草花の表面は、透明硬質板３５と密着状態に圧着されているため、可及的に草花表面が平坦化して、光の乱反射を防止し、光の乱反射に起因する白っぽい表面の色合いを解消し、草花の変色や退色が低減された自然の草花の色彩を現出することができる効果がある。特に、半乾燥状態の草花であるため表面に透明硬質板３５を密着すると草花の表面を損傷することなく透明硬質板３５になじんで平坦化しやすく、徐々に乾燥する経時的変化が更に無理なくその平坦化現象に貢献する。」　
（エ）上記（ウ）【００１８】乃至【００２３】の記載より、半乾燥工程は、草花を吸水体で挟持し、両側に薄板を配置し、重錘を載置し、草花を半乾燥することにより、美しい姿に矯正することができるものであるから、半乾燥工程において草花を美しい姿に矯正するといえる。　
　
　そうすると、上記（ア）乃至（ウ）の記載事項から、刊行物１には、次の発明（以下「引用発明１」という。）が記載されているものと認められる。　
「採取した草花を数枚から数十枚のざら紙などの給水紙を束ねて形成した吸水体にて挟持し、吸水体の両側に薄板を配置すると共に薄板の上に重錘を載置し加圧して含水率が約５０〜７０％の半乾燥状態とし、草花を美しい姿に矯正する半乾燥工程と、　
　同半乾燥工程において半乾燥状態とした前記草花を、クッション性を有すると共にその表面に顔料を擦り付けて着色された台紙上に絵画的に配置する配置工程と、　
　同配置工程にて前記草花を配置してなる前記台紙を、乾燥剤及び脱酸素剤と共に透明硬質板及びアルミ箔などの防湿シートにて挟持し、可撓性かつ密封性の高い透明袋体の中に封入し、吸引ポンプＰによって透明袋体から空気を吸引して内部の空気を脱気して密封する密封工程と、　
　同密封工程にて密封した前記半乾燥状態の草花を無酸素状態で乾燥させる乾燥工程と、を有する押花絵の製造方法。」　
　
イ．刊行物２　
　本願の出願日前の平成１８年７月１３日に頒布された特表２００６−５１６９０４号公報には、以下の記載がある。　
（ア）「【００６２】　
　乾燥剤の例は次のものである：　
　酸化アルミニウム、酸化マグネシウム、カオリン、タルク、ケイ酸（エアロジル）、硫酸バリウム、カーボンブラックおよびセルロース。」　
　
ウ．刊行物３　
　本願の出願日前の平成１年８月１１日に頒布された特開平１−１９９９０２号公報には、以下の記載がある。　
（ア）「乾燥は、好ましくはタルクを用いて実施される。このタルクは、例えば、乾燥剤及び滑剤の両方として作用するルゼナク（LUZENAC）タルク又は顆粒の流動性を促進する他の任意の物質であってよい。」（２頁右下欄１７行〜３頁左上欄１行）　
　
エ．刊行物４　
　本願の出願日前の平成４年２月２０日に頒布された特開平４−５１８４５号公報には、以下の記載がある。　
（ア）「青果物や花卉類から発生するエチレンを除去することによって鮮度を保持しようとするエチレン除去剤か注目されている。」（１頁右欄８〜１０行）　
（イ）「本発明の鮮度保持剤において、活性炭を用いない場合は、多孔性の担体を使用するのが好ましい。多孔性担体に限定はないか、好ましい担体としては、シリカ、アルミナ、シリカアルミナ、天然ゼオライト、合成ゼオライト、タルク、ケイソウ土、鹿沼土、白土、粘土鉱物、活性炭などが挙げられ、これらのうちの一種あるいは数種を組み合わせて使用する。」（２頁右下欄１４行〜３頁左上欄１行）　
　
オ．刊行物５　
　本願の出願日前の平成９年９月９日に頒布された実用新案登録第３０４１２２９号公報には、以下の記載がある。　
（ア）「【請求項１】　前面に開口部が形成された装飾具本体内に透明板を該開口部から露出するように配置し、該透明板上に載置した花等の植物に吸水紙を重ね、上記吸水紙の裏面にはクッション材と裏蓋とを重合させるとともに、該クッション材を圧縮して上記裏蓋を装飾具本体に係止させることにより、上記クッション材の弾性で上記植物と吸水紙とを上記透明板に押圧させることを特徴とする押し花装飾具。　
　…　
【請求項５】　前記裏蓋の背面には前記装飾具本体を立てるスタンドが形成されている請求項１又は２記載の押し花装飾具。」　
　そうすると、上記（ア）の記載事項から、刊行物５には、次の発明（以下「引用発明５」という。）が記載されているものと認められる。　
「前面に開口部が形成された装飾具本体内に透明板を該開口部から露出するように配置し、該透明板上に載置した花等の植物に吸水紙を重ね、上記吸水紙の裏面にはクッション材と裏蓋とを重合させるとともに、該クッション材を圧縮して上記裏蓋を装飾具本体に係止させることにより、上記クッション材の弾性で上記植物と吸水紙とを上記透明板に押圧させ、前記裏蓋の背面には前記装飾具本体を立てるスタンドが形成されている押し花装飾具。」　
　
（２）対比　
　そこで、本願発明と引用発明１とを対比すると、
ア．後者の「配置工程」、「密封工程」、「乾燥工程」、「押花絵の製造方法」、「採取した草花」、「数枚から数十枚のざら紙などの給水紙を束ねて形成した吸水体５１にて挟持する」、「重錘を載置し」、「乾燥剤」、「脱酸素剤」、「クッション性を有する厚目の不織布」、「織目の細かい布体」、「顔料」、「透明硬質板」及び「密封性の高い透明袋体」は、それぞれ、前者の「配置工程Ｓ２」、「密封工程Ｓ３」、「乾燥工程Ｓ４」、「押花絵の製造方法」、「野山等で採取した押花素材である草花３１」、「ざら紙等の吸水紙を束ねた吸水体５１で挟持し」、「重しを掛け」、「乾燥剤２３」、「脱酸素剤２４」、「クッション性を有する不織布よりなる弾性シート２２」、「布体２５」、「顔料１０」、「透明硬質板４０」及び「空気を通しにくい透明袋５０」に相当する。　
イ．後者の半乾燥工程において、薄板を配置すると共に薄板の上に重錘を載置し加圧するものであるから、上方より重しを掛け草花の姿を平板状に矯正するといえる。　
ウ．後者の半乾燥工程において、含水率が約５０〜７０％の半乾燥状態となった草花の水分は、挟持する吸水体に移動することは明らかであるから、草花３１中の水分を吸水体５１へ移動して若干乾燥を行うといえる。　
エ．上記イ．ウ．より、後者の「半乾燥工程」と前者の「姿矯正工程Ｓ１」とは、「野山等で採取した押花素材である草花３１を姿の矯正をし、ざら紙等の吸水紙を束ねた吸水体５１で挟持し、上方より重しを掛け草花の姿を平板状に矯正し、草花３１中の水分を吸水体５１へ移動して若干乾燥を行う」点で共通する。　
オ．後者の「台紙」は、クッション性を有する厚目の不織布を織目の細かい布体で巻回して形成しているものであるから、前者の「弾性シート２２を布体２５により巻回してなるキャンバス２０」に相当する。　
カ．後者の「顔料」は、擦り付けて台紙を着色するもので、その上に草花が絵画的に配置されるものであるから、前者の「顔料１０」とは、背景を作成するもので共通する。　
キ．後者の「配置工程」は、台紙上に半乾燥状態とした草花を絵画的に配置するものであるから、前者の「配置工程Ｓ２」とは、「クッション性を有する不織布よりなる弾性シート２２を布体２５により巻回してなるキャンバス２０上に顔料１０を塗布して背景を作成し、続いてキャンバス２０上に姿矯正工程Ｓ１で作成した未乾燥押花３２を配置」する点で共通する。　
ク．後者の「密封工程」と前者の「密封工程Ｓ３」とは、「未乾燥押花３２を透明硬質板４０とキャンバス２０との間に挟持した状態で空気を通しにくい透明袋５０内部に収容し、キャンバス２０を収容した透明袋５０を、透明袋５０内の空気を脱気」する点で共通する。　
ケ．後者の「密封工程にて密封した半乾燥状態の草花」は、配置工程にて台紙、乾燥剤及び脱酸素剤と共に可撓性かつ密封性の高い透明袋体の中に封入されるものであるから、後者の「感想工程」と前者の「乾燥工程Ｓ４」とは、「配置工程Ｓ２において乾燥剤２３及び脱酸素剤２４を収容し未乾燥押花３２を配置したキャンバス２０を無酸素状態で乾燥する」点で共通する。　
コ．後者の「押花絵の製造方法」と、前者の「押花絵の製造方法」とは、「姿矯正工程Ｓ１と配置工程Ｓ２と密封工程Ｓ３と乾燥工程Ｓ４とを順次行う」点で共通する。　
　
　したがって、両者は、　
「姿矯正工程Ｓ１と配置工程Ｓ２と密封工程Ｓ３と乾燥工程Ｓ４とを順次行う押花絵の製造方法であり、　
　姿矯正工程Ｓ１は、野山等で採取した押花素材である草花３１を、ざら紙等の吸水紙を束ねた吸水体５１で挟持し、上方より重しを掛け草花の姿を平板状に矯正し、草花３１中の水分を吸水体５１へ移動して若干乾燥を行い、　
　配置工程Ｓ２は、乾燥剤２３と脱酸素剤２４とを配置すると共に、その上面にクッション性を有する不織布よりなる弾性シート２２を重ね、さらには乾燥剤２３と脱酸素剤２４と弾性シート２２とを布体２５により巻回してなるキャンバス２０上に顔料１０を塗布して背景を作成し、続いてキャンバス２０上に姿矯正工程Ｓ１で作成した未乾燥押花３２を配置し、その後、キャンバス２０の未乾燥押花３２の表面を覆うように透明硬質板４０を載置し、　
　密封工程Ｓ３は、未乾燥押花３２を透明硬質板４０とキャンバス２０との間に挟持した状態で空気を通しにくい透明袋５０内部に収容し、キャンバス２０を収容した透明袋５０を、透明袋５０内の空気を脱気し、
　
　　乾燥工程Ｓ４は、配置工程Ｓ２において乾燥剤２３及び脱酸素剤２４を収容し未乾燥押花３２を配置したキャンバス２０を無酸素状態で乾燥すること特徴とする押花絵の製造方法。」　
の点で一致し、以下の点で相違する。　
　
［相違点１］　
　本願発明の姿矯正工程Ｓ１が、野山等で採取した押花素材である草花３１を「姿の矯正をしながら意匠的に配置し」、ざら紙等の吸水紙を束ねた吸水体５１で挟持し、上方より重しを掛け草花の姿を平板状に矯正し、「未乾燥の押花を意匠的な姿に形成し草花の盛り上り部分は圧潰して茎や葉脈等からの滲出した水分はテッシュ等の吸水材を用いて払拭すると共に、」草花３１中の水分を吸水体５１へ移動して若干乾燥を行うものであるのに対し、引用発明１の半乾燥工程は、そのようなものでない点。　
　
［相違点２］　
　本願発明の配置工程Ｓ２が、「台紙２１上に乾燥剤２３と脱酸素剤２４とを配置すると共に、その上面に」クッション性を有する不織布よりなる弾性シート２２を「重ね、さらには台紙２１と乾燥剤２３と脱酸素剤２４と弾性シート２２と」を布体２５により巻回してなるキャンバス２０上に「エチレンガスを吸着除去する多孔性微粒子を含有する」顔料１０を塗布して背景を作成し、続いてキャンバス２０上に姿矯正工程Ｓ１で作成した未乾燥押花３２を配置し、その後、キャンバス２０の未乾燥押花３２の表面を覆うように透明硬質板４０を載置するものであるのに対し、引用発明１の配置工程は、そのようなものでない点。　
　
［相違点３］　
　本願発明の密封工程Ｓ３が、未乾燥押花３２を透明硬質板４０とキャンバス２０との間に挟持した状態で空気を通しにくい透明袋５０内部に収容し、キャンバス２０を収容した透明袋５０を、「ざら紙等を重ねて形成した下敷き材６１上に載置し、この透明袋５０上に重し材６３を載置し」、透明袋５０内の空気を脱気し、「脱気した状態で透明袋５０の開口を密封」するものであるのに対し、引用発明１の密封工程は、そのようなものでない点。
　
（３）判断　
　上記「（１）　イ．」及び「（１）　ウ．」より、一般に、乾燥剤自体は周知の技術事項であり（以下「第１の技術事項」という。）、また、上記「（１）　エ．」より、一般に、エチレン除去剤としての多孔性担体は、周知の技術事項である。（以下「第２の技術事項」という。）　
　しかし、上記相違点１乃至相違点３に係る本願発明の発明特定事項は、引用文献５にも示されていないし、上記第１の技術事項及び上記第２の技術事項ともいえないし、当業者にとって設計事項であるとする根拠もない。　
　そして、本願発明は、上記相違点１乃至相違点３に係る本願発明の発明特定事項を具備することにより、本願明細書に記載の「乾燥による収縮により、草花の表面に凹凸が生起することを抑制し、かつ、該草花を充分に乾燥させることができる押花絵キット及び押花絵の製造方法を提供する」（段落【０００８】）という作用効果を奏するものである。　
　
　したがって、本願発明は、引用発明１、引用発明５、上記第１の技術事項及び上記第２の技術事項に基づいて、当業者が容易に発明をすることができたものとすることはできない。　
　
　
第４　当審拒絶理由について　
１．当審拒絶理由の概要　
（理由）　
　この出願は、特許請求の範囲の記載が下記の点で、特許法第３６条第６項第２号に規定する要件を満たしていない。　
１−１．請求項１の下記特定事項が不明である。　
（１）「給水材で払拭する」　
（２）「乾燥剤２３と脱酸素剤２４とを重ならないように配置する」　
（３）「キャンバス２０」と「キャンパス２０」　
（４）「未乾燥押花３２を透明硬質板４０とキャンパス２０との間に挟持し」　
（５）「透明袋５０を裏返して」　
　
１−２．請求項７の特定事項は、「押花絵の製造方法」として不明である。　
　
２．当審拒絶理由の判断　
　平成２８年３月２９日に提出された手続補正書において、上記第２のとおり、請求項１の記載は補正され、請求項７は削除されたことにより、請求項１に係る発明は明確となった。　
　したがって、当審拒絶理由は解消した。　
　
　
第５　むすび　
　以上のとおりであるから、本願発明は、引用発明１、引用発明５、上記周知の技術事項１及び周知の技術事項２に基づいて、当業者が容易に発明をすることができたとものとすることはできないから、原査定の理由によっては、本願を拒絶することはできない。　
　
　また、他に本願を拒絶すべき理由を発見しない。